(57)【要約】【課題】支柱に複数の手摺を接続する場合に、隣接する２本の手摺に段差を生じさせることなく、少ない部品点数で簡易に接続することができるジョイント部材を提供することを課題としている。【解決手段】縦方向に配置された支柱３に、横方向に配置された複数の手摺４を接続するためのジョイント部材１０であって、支柱３の上端が内挿又は外挿可能に形成された支柱装着部１１と、複数の手摺４の端部が内挿又は外挿可能に形成された複数の手摺装着部１２とを備えていることを特徴としている。【選択図】　図１
2004076374.tif 000002
【特許請求の範囲】
【請求項１】
縦方向に配置された支柱に、横方向に配置された複数の手摺を接続するためのジョイント部材であって、
前記支柱の上端が内挿又は外挿可能に形成された支柱装着部と、
前記複数の手摺の端部が内挿又は外挿可能に形成された複数の手摺装着部と、を備えていることを特徴とするジョイント部材。
【請求項２】
縦方向に配置された支柱に、横方向に配置された複数の手摺を接続するためのジョイント部材であって、
前記支柱が貫通可能であり、貫通した前記支柱に固定可能なクランプと、
前記複数の手摺の端部が内挿又は外挿可能に形成された複数の手摺装着部と、を備えていることを特徴とするジョイント部材。
【発明の詳細な説明】
【０００１】
【発明の属する技術分野】
本発明は、縦方向に配置された支柱に、横方向に配置された複数の手摺を接続するためのジョイント部材に関する。
【０００２】
【従来の技術】
従来、図３に示すように、工事現場において複数のパイプを接続させて保護柵１を構築する場合に、鉛直方向に配置されたパイプである支柱３に、水平方向に配置され、直交した２本のパイプである手摺４，４を複数接続することにより、隅角部２を形成する構成としている。
ここで、従来の支柱３と手摺４の接合部では、通常、直交クランプ５０が用いられている。この直交クランプ５０は、支柱３及び手摺４が貫通可能な開口部を有する円周枠５１，５２が２個並設されており、一方の円周枠５１は開口部が鉛直方向に向けられ、他方の円周枠５２は開口部が水平方向に向けられている。すなわち、円周枠５１，５２同士は各開口部が直交するようにして接合されている。また、開口部はネジ機構（図示せず）により内径が縮小するように形成されているため、貫通した支柱３及び手摺４を開口部で把持して固定することができる。そして、従来の支柱３と手摺４の接続部では、鉛直方向の開口部に支柱３を貫通させて固定し、水平方向の開口部に手摺４を貫通させて固定することにより、鉛直方向の支柱３に水平方向の手摺４を接続している。
【０００３】
【発明が解決しようとする課題】
しかしながら、従来の支柱と手摺の接続部では、以下の問題が存在している。１個の直交クランプ５０では、支柱３に対して１本の手摺４しか接続することができない。そのため、図３に示すように、２個の直交クランプ５０，５０を上下に連続して設置することにより、２本の手摺４，４を支柱３に接続させている。これにより、隣接する２本の手摺４，４に、水平方向の円周枠５１の高さ分の段差が生じてしまう。
【０００４】
また、手摺４に固定された直交クランプ５０のネジ機構が保護柵１の外部に突出するため、直交クランプ５０をカバー（図示せず）で覆って作業員の安全を確保する必要がある。
【０００５】
さらに、支柱３及び手摺４が、直交クランプ５０の各円周枠５１，５２を貫通するため、支柱３及び手摺４の端部が直交クランプ５０から突出してしまう。これにより、突出した支柱３及び手摺４の端部から内部に雨水等が浸入することを防止するとともに、作業員の安全を確保するため、支柱３及び手摺４の端部にキャップ（図示せず）を被せる必要がある。
【０００６】
したがって、従来の支柱３と手摺４の接続部では、支柱３に複数の手摺４を接続する場合に、その手摺４の本数と同じ個数の直交クランプ５０を支柱３に設置する必要があるとともに、直交クランプ５０のカバーや、支柱３及び手摺４の端部に被せるキャップが必要になるため、施工が煩雑になってしまうという問題がある。
さらに、直交クランプ５０から支柱３及び手摺４の端部が突出してしまうとともに、隣接する２本の手摺４，４に段差が生じるため、保護柵１の景観が損なわれてしまうという問題がある。
【０００７】
本発明は、前記問題を解決するためになされたものであり、支柱に複数の手摺を接続する場合に、隣接する２本の手摺に段差を生じさせることなく、少ない部品点数で簡易に接続することができるジョイント部材を提供することを課題としている。
【０００８】
【課題を解決するための手段】
本発明は、前記課題を解決すべく構成されるものであり、請求項１に記載の発明は、縦方向に配置された支柱に、横方向に配置された複数の手摺を接続するためのジョイント部材であって、支柱の上端が内挿又は外挿可能に形成された支柱装着部と、複数の手摺の端部が内挿又は外挿可能に形成された複数の手摺装着部とを備えていることを特徴としている。
【０００９】
また、請求項２に記載の発明は、縦方向に配置された支柱に、横方向に配置された複数の手摺を接続するためのジョイント部材であって、支柱が貫通可能であり、貫通した支柱に固定可能なクランプと、複数の手摺の端部が内挿又は外挿可能に形成された複数の手摺装着部とを備えていることを特徴としている。
【００１０】
ここで、支柱及び手摺の形状は中空のパイプや棒状部材など限定されるものではなく、さらに、材料も鋼や樹脂など限定されるものではない。
また、各手摺装着部の数及び軸方向は限定されるものではなく、例えば、２個の手摺装着部の軸方向を直交させ、手摺の隅角部が構築されるように構成したり、２個の手摺装着部を同一軸線上に設置し、手摺の直線部が構築されるように構成してもよい。
【００１１】
さらに、クランプは、既存のクランプであり、支柱が貫通可能な開口部を有する円周枠により構成され、開口部の内径を縮小することにより、開口部を貫通した支柱を把持して固定するものである。
【００１２】
請求項１及び請求項２に記載の発明によれば、１個のジョイント部材に、支柱及び複数の手摺を内挿又は外挿することができるため、少ない部品点数で支柱に複数の手摺を簡易に接続することができる。
また、手摺からネジ機構が突出しないため、ジョイント部材をカバー等で覆う必要がなくなる。さらに、支柱及び手摺はジョイント部材に内挿又は外挿され、ジョイント部材から支柱及び手摺の端部が突出しないため、支柱及び手摺の端部にキャップを被せる必要がなくなる。これにより、支柱と手摺の接続作業を簡易化することができる。
【００１３】
また、ジョイント部材に設置された各手摺装着部が同一高さに設置されるように構成してもよく、この構成では、支柱に接続された複数の手摺に段差が生じないため、接合部の景観を良くすることができる。
【００１４】
したがって、本発明のジョイント部材では、少ない部品点数で支柱に複数の手摺を簡易に接続することができるため、直交クランプを用いて支柱と手摺を接続する構成と比較して、施工期間及び施工費用を低減することができる。
【００１５】
【発明の実施の形態】
以下、添付図面を参照して、本発明の実施形態について詳細に説明する。
【００１６】
本発明の実施形態に係るジョイント部材は、各種の支柱及び手摺に適用可能であるが、この実施形態では、工事現場において、中空の円筒形状の鋼製パイプを連続させて構築した保護柵の隅角部に適用した場合を例として説明する。
【００１７】
図１は、本発明の実施形態に係るジョイント部材を用いた保護柵を示した斜視図である。図２は、本発明の実施形態に係るジョイント部材を示した図で、（ａ）は上端ジョイント部材を示した斜視図、（ｂ）は中間ジョイント部材を示した平面図である。
【００１８】
まず、本発明の実施形態に係るジョイント部材を用いた保護柵の隅角部の構成について説明する。
保護柵１の隅角部２は、図１に示すように、鉛直方向に立設された支柱３と、水平方向に配置された４本の手摺４とから構成され、手摺４は支柱３の上端と中間部に２本ずつ接続されている。そして、支柱３の上端には、上端ジョイント部材１０が接続され、この上端ジョイント部材１０に、直交した２本の手摺４，４が接続されている。さらに、支柱３の中間部には、中間ジョイント部材２０が接続され、この中間ジョイント部材２０に、直交した２本の手摺４，４が接続されている。
【００１９】
次に、本発明の実施形態に係る上端ジョイント部材１０の構成について説明する。
上端ジョイント部材１０は、図２（ａ）に示すように、支柱３の上端が外挿可能に形成された支柱装着部１１と、手摺４の端部が外挿可能に形成された２個の手摺装着部１２，１２とが本体部１３から突出した３方向直交の円筒部材である。なお、本実施形態の上端ジョイント部材１０は樹脂製であるが、形状及び材料は限定されるものではなく、支柱３及び２本の手摺４，４を接続した際の荷重に耐えることができるものであればよい。
【００２０】
支柱装着部１１は、本体部１３から鉛直方向の下方に突出しており、本体部１３よりも縮径され、支柱３の上端が外挿可能な大きさに形成されている。
手摺装着部１２は、本体部１３から水平方向に突出しており、本体部１３よりも縮径され、手摺４の端部が外挿可能な大きさに形成されている。また、各手摺装着部１２，１２は、同一高さに設置されており、各手摺装着部１２，１２の軸方向は直交している。
【００２１】
次に、本発明の実施形態に係る中間ジョイント部材２０の構成について説明する。
中間ジョイント部材２０は、図２（ｂ）に示すように、支柱３が貫通可能な鉛直方向の開口部２１を有するクランプ２２と、手摺４の端部が外挿可能に形成された２個の手摺装着部２３，２３が本体部２４から突出した円筒部材とから構成され、平面視でＬ字形状に形成された本体部２４の隅角部内にクランプ２２の側面の一部が接合されている。なお、本実施形態の中間ジョイント部材２０は樹脂製であるが、形状及び材料は限定されるものではなく、支柱３及び２本の手摺４，４を接続した際の荷重に耐えることができるものであればよい。
【００２２】
クランプ２２は、既存のクランプであり、支柱３が貫通可能な開口部２１を有する円周枠２５により構成され、開口部２１で支柱３を把持して固定するものである。この開口部２１には、軸方向のスリット部２６が形成されており、スリット部２６を横断するようにして雄ネジ部材２７が設置されている。この雄ネジ部材２７の一端はスリット部２６の内壁に接合され、他端は円周枠２５を貫通して外部に突出している。また、突出した雄ネジ部材２７の先端にはナット２８が螺着されている。そして、円周枠２５の側面において、雄ネジ部材２７が突出していない側（図２（ｂ）において下側）の所定区間は、本体部２４との接合面であり、本体部２４はクランプ２２の外周面に沿ってＬ字形状に湾曲して接合されている。
【００２３】
手摺装着部２３は、本体部２４から水平方向に突出しており、本体部２４よりも縮径され、手摺４の端部が外挿可能な大きさに形成されている。また、各手摺装着部２３，２３は同一高さに設置されており、各手摺装着部２３，２３の軸方向は直交している。
【００２４】
次に、本発明の実施形態に係る上端ジョイント部材１０及び中間ジョイント部材２０を用いた保護柵１の隅角部２の構築方法について説明する。
まず、地盤に支柱３を鉛直方向に立設し、この支柱３に中間ジョイント部材２０のクランプ２２の開口部２１を貫通させる。このとき、中間ジョイント部材２２の各手摺装着部２３，２３の方向を、予め設定された手摺４，４の方向に対応させる。
さらに、予め設定された手摺４，４の高さに対応させて、支柱３の中間部でクランプ２２のナット２８を締め込む。これにより、スリット部２６の間隔が狭められて開口部２１の内径が縮小され、開口部２１が支柱３を把持するため、中間ジョイント部材２０が支柱３の中間部に固定される。
そして、中間ジョイント部材２０の各手摺装着部２３，２３に手摺４の端部を外挿することにより、中間ジョイント部材２０から手摺４の端部を突出させることなく、支柱３の中間部に直交した２本の手摺４，４を簡易に接続する。
【００２５】
続いて、上端ジョイント部材１０の支柱装着部１１に支柱３の上端が外挿されるようにして、支柱３の上端に上端ジョイント部材１０を簡易に接続する。このとき、上端ジョイント部材１０から支柱３の上端が突出することがない。また、上端ジョイント部材１０の各手摺装着部１２，１２を、予め設定された手摺４，４の方向に対応させる。
そして、上端ジョイント部材１０の各手摺装着部１２，１２に手摺４の端部を外挿することにより、上端ジョイント部材１０から手摺４の端部を突出させることなく、支柱３の上端に直交した２本の手摺４，４を簡易に接続する。
これにより、支柱３の上端及び中間部に直交する２本の手摺４，４が接続され、保護柵１の隅角部２が完成する。
【００２６】
したがって、本発明の実施形態に係る各ジョイント部材１０，２０では、少ない部品点数で支柱３に手摺４を簡易に接続することができる。これにより、支柱３と手摺４の接続部に直交クランプを用いた構成と比較して、施工期間及び施工費用を低減することができる。
【００２７】
以上、本発明の好適な実施形態についての一例を説明したが、本発明は前記実施形態に限定されず、本発明の趣旨を逸脱しない範囲で適宜設計変更が可能である。
例えば、各ジョイント部材１０，２０の手摺装着部１２，２３は２個に限定されるものではなく、保護柵１の形状に対応させて適宜に定めることができる。また、手摺装着部１２，２３の軸方向も限定されるものではなく、２個の手摺装着部１２，２３が同一軸線上に設置されるように構成してもよく、この構成は保護柵１の平面部を構築する際に有効である。
また、支柱装着部１１及び手摺装着部１２，２３に、支柱３又は手摺４が内挿されるように構成してもよく、この構成では、支柱装着部１１及び手摺装着部１２，２３に、支柱３又は手摺４が挿入可能な内径の中空孔が形成される。
さらに、中間ジョイント部材２０のクランプ２２は、支柱３を確実に把持することができる構成であれば、前記実施形態のクランプ２２の構成に限定されるものではなく、既存の各種クランプを用いることができる。
【００２８】
【発明の効果】
本発明のジョイント部材によれば、１個のジョイント部材に、支柱及び複数の手摺を内挿又は外挿することができるため、少ない部品点数で支柱に複数の手摺を簡易に接続することができ、直交クランプを用いて支柱と手摺を接続する構成と比較して、施工期間及び施工費用を低減することができる。
また、手摺からネジ機構が突出しないため、ジョイント部材をカバー等で覆う必要がなくなる。さらに、支柱及び手摺はジョイント部材に内挿又は外挿され、ジョイント部材から支柱及び手摺の端部が突出しないため、支柱及び手摺の端部にキャップを被せる必要がなくなる。これにより、支柱と手摺の接続作業を簡易化することができるとともに、作業員の安全を確実に確保することができる。
さらに、ジョイント部材に設置された各手摺装着部が同一高さに設置されるように構成してもよく、この構成では、支柱に接続された複数の手摺に段差が生じないため、接合部の景観を良くすることができる。
【図面の簡単な説明】
【図１】本発明の実施形態に係るジョイント部材を用いた保護柵を示した斜視図である。
【図２】本発明の実施形態に係るジョイント部材を示した図で、（ａ）は上端ジョイント部材を示した斜視図、（ｂ）は中間ジョイント部材を示した平面図である。
【図３】従来の支柱と手摺の接続部を示した斜視図である。
【符号の説明】
１・・・・保護柵
３・・・・支柱
４・・・・手摺
１０・・・・上端ジョイント部材
１１・・・・支柱装着部
１２・・・・手摺装着部
１３・・・・本体部
２０・・・・中間ジョイント部材
２１・・・・開口部
２２・・・・クランプ
２３・・・・手摺装着部
２４・・・・本体部
２５・・・・円周枠
２６・・・・スリット部
【図１】
2004076374.tif 000003
【図２】
2004076374.tif 000004
【図３】
2004076374.tif 000005